(57)【特許請求の範囲】
【請求項１】
作業対象物を、一対の中空ユニットがヒンジで接合された作業函で囲むとともに、該作業函の下部内面に沿って突出形成された上板が取外自在なコ字形の固定部に止水チューブが設置され、該止水チューブの切り離された一端部を他端部のスリーブに挿入した後に、止水チューブを膨張させることを特徴とする作業函の設置方法。
【請求項２】
一対の中空ユニットがヒンジで接合され、該ヒンジを中心に回転して平面円形の環状に形成される作業函において、該作業函の下部内面に沿って上板が取外自在なコ字形の固定部が突出形成され、該固定部に断面円形の止水チューブが設置され、この止水チューブの一箇所が切り離され、この切り離された一端部が他端部のスリーブに挿入されて環状に接合されたことを特徴とする作業函の止水構造。
【発明の詳細な説明】
【０００１】
【発明の属する技術分野】
本発明は作業函の設置方法およびその止水構造に関するものである。
【０００２】
【従来の技術】
近年、河川などの水中に構築された構造物の保守、点検、補修、補強などが急務となっている。これらの作業は、図１０に示すように、作業対象物１７を囲むように作業函１８が設置され、この作業函１８の内側における水を排出して陸上と同じドライな作業空間１９を形成していた。このような作業空間１９を形成するには、止水チューブ２０を作業対象物１７に密着させるとともに、切り離された端部２１同士を突き合わせや重ね合わせで接合していた。
【０００３】
【発明が解決しようとする課題】
しかし、上記の止水チューブの突き合わせ接合および重ね合わせ接合は、突き合わせ部および重ね合わせ部の密着性が劣り、かつ潜水作業による突き合わせ作業および重ね合わせ作業に多大な労力を要していた。
【０００４】
本発明は上記のような問題に鑑みてなされたものであり、その目的は、止水チューブの切り離された止水面の連続性を高めるとともに、該端部同士が簡単に接合できる作業函の設置方法およびその止水構造を提供することである。
【０００５】
【課題を解決するための手段】
以上の課題を解決するための本願発明の作業函の設置方法は、作業対象物を、一対の中空ユニットがヒンジで接合された作業函で囲むとともに、該作業函の下部内面に沿って突出形成された上板が取外自在なコ字形の固定部に止水チューブが設置され、該止水チューブの切り離された一端部を他端部のスリーブに挿入した後に、止水チューブを膨張させることを特徴とする。
また作業函の止水構造は、一対の中空ユニットがヒンジで接合され、該ヒンジを中心に回転して平面円形の環状に形成される作業函において、該作業函の下部内面に沿って上板が取外自在なコ字形の固定部が突出形成され、該固定部に断面円形の止水チューブが設置され、この止水チューブの一箇所が切り離され、この切り離された一端部が他端部のスリーブに挿入されて環状に接合されたことを特徴とする。
【０００６】
止水チューブの切り離された端部同士が簡単に接合できるとともに、その密着性を高めることができる。止水チューブの切り離された一端部が他端部のスリーブに挿入されて接合されたことにより、該接合部の密着性を高めることができる。止水チューブが断面方形で、かつ平面方形の環状であっても切り離された端部同士の密着性を高めることができるとともに、平面方形の作業対象物における角部の止水性を高めることができる。作業函を作業対象物に設置する前または設置した後でも、止水チューブを溝状の固定部に設置することができる。固定部の上板を取外自在としたので、止水チューブが固定部に取り付け易くなる。
【０００７】
【発明の実施の形態】
以下、本発明の実施の形態を図面に基づいて説明する。はじめに作業函の止水構造について説明し、その後に作業函の設置方法について説明する。作業函の止水構造の実施の形態は４つあり、各実施の形態において同じ構成は同じ符号を付して説明し、異なった構成にのみ異なった符号を付して説明する。
【０００８】
図１および図２は第１の実施の形態の作業函１を示している。この作業函１は半円形の中空ユニット２同士がヒンジ３で接合され、これを中心に開閉できるようになっている。また作業函１の下部には内面に沿って設けた固定部４に止水チューブ５が設置され、これが作業対象物に密着するようになっている。
【０００９】
この止水チューブ５は、図２に示すように、一箇所が切り離され、この切り離された端部５ａ、５ｂ同士がスリーブ６で接合されて環状になっている。このスリーブ６は止水チューブ５の切り離された一端部５ａに突出するように接着され、この突出部７に他端部５ｂが挿入できるようになっている。したがって、同図の（３）に示すように、止水チューブ５が萎んでいるときに、切り離された他端部５ｂをスリーブの突出部７に入れて空気で膨らませると、同図の（１）に示すような環状になる。
【００１０】
図３は第２の実施の形態の作業函８を示したものである。この作業函８は、下部の内面から溝状の固定部４が突出し、これに止水チューブ５が設置されたものであり、これ以外は第１の実施の形態の作業函１と同じ構成である。このように固定部４を突出させると作業空間を広く形成することができる。
【００１１】
図４は第３の実施の形態の作業函９を示したものである。この作業函９は固定部の上板１０を取り外せるようにボルト止めしたものであり、これ以外は第２の実施の形態の作業函８と同じ構成である。これにより止水チューブ５を、固定部４に簡単に取り付けることができとともに、作業函９の作業対象物への設置前または設置後にでも簡単に取り付けることができる。
【００１２】
図５は第４の実施の形態の作業函１１を示したものである。この作業函１１は断面方形で、かつ平面方形の環状の止水チューブ１２を備えたものである。この止水チューブ１２は平面方形の作業対象物にも密着できるように、四枚板１２ａ、１２ｂ、１２ｃ、１２ｄを貼り合わせて形成している。
【００１３】
なお、上記止水チューブ５、１２は一箇所で切り離されているが、一箇所以上を切り離して形成することもできる。
【００１４】
以下に、第１の実施の形態の作業函１を使用した設置方法について説明する。まず、図６に示すように、作業函１を開いた状態で作業対象物１３まで曳航する。このとき止水チューブ５は萎んだ状態で、かつ切り離された状態になっている。
【００１５】
次に、図７に示すように、平面円形のフーチング１４を作業函１で囲むとともに、止水チューブ５の端部５ａ、５ｂ同士をスリーブ６で接合する。そして各中空ユニット２に注水して作業函１を沈め、止水チューブ５をフチーング１４の周りに位置させる。このとき止水チューブ５は、図８に示すように、萎んだ状態でフーチング１４を囲んでいる。
【００１６】
次に、図９に示すように、止水チューブ５を空気で膨張させてフーチング１４に密着させるとともに、作業函１の内側における水Ｗをポンプ１５で排出すると陸上と同じドライな作業空間１６が形成される。この作業空間１６は止水チューブ５の端部５ａ、５ｂ同士がスリーブ６で接合されて形成されているため止水性が高くなっている。
【００１７】
なお、第２〜第４の実施の形態の作業函８、９、１１を使用した場合であっても、前記と同じ方法で設置し、かつ同じ効果を得ることができる。
【００１８】
【発明の効果】
止水チューブの切り離された端部同士が簡単に接合できるとともに、その密着性を高めることができる。
【００１９】
止水チューブの切り離された一端部が他端部のスリーブに挿入されることにより、作業空間における止水性を高めることができる。
【００２０】
止水チューブが断面方形で、かつ平面方形の環状であっても切り離された端部同士の密着性を高めることができるとともに、平面方形の作業対象物における角部の止水性を高めることができる。
【００２１】
作業函を作業対象物に設置する前または設置した後でも、止水チューブを固定部に簡単に設置することができる。
【００２２】
固定部の上板を取外自在としたので、止水チューブが固定部に取り付け易くなる。
【図面の簡単な説明】
【図１】   （１）は第１の実施の形態の作業函の横断面図、（２）は同縦断面図である。
【図２】 （１）は止水チューブの断面図、（２）は（１）のＡ−Ａ線断面図、（３）はスリーブの断面図である。
【図３】   第２の実施の形態の作業函の一部省略断面図である。
【図４】   第３の実施の形態の作業函の一部省略断面図である。
【図５】   （１）は第４の実施の形態の作業函の横断面図、（２）は止水チューブの断面図である。
【図６】   開いた作業函を作業対象物に曳航する断面図である。
【図７】   作業対象物を囲んだ作業函の断面図である。
【図８】   図７の作業函の断面図である。
【図９】（１）および（２）は内側の水を排出した作業函の断面図である。
【図１０】（１）および（２）は従来の作業函の断面図、（３）は従来の止水チューブの正面図である。
【符号の説明】
１、８、９、１１、１８  作業函
２  中空ユニット
３  ヒンジ
４  固定部
５、１２、２０  止水チューブ
５ａ、５ｂ、２１  端部
６  スリーブ
７  突出部
１０  固定部の上板
１３、１７  作業対象物
１４  フーチング
１５  ポンプ
１６、１９  作業空間
Ｗ  水
【図１】
0003779165.tif 000002
【図２】
0003779165.tif 000003
【図３】
0003779165.tif 000004
【図４】
0003779165.tif 000005
【図５】
0003779165.tif 000006
【図６】
0003779165.tif 000007
【図７】
0003779165.tif 000008
【図８】
0003779165.tif 000009
【図９】
0003779165.tif 000010
【図１０】
0003779165.tif 000011